(57)【要約】【課題】画素自発光表示装置において、画像を表示するための電力消費量を減らすことができる省電力とコンテキスト表示の表示情報変換システムおよびその装置を提供する。【解決手段】表示情報変換システムは、コンテキスト表示モジュールと、省電力変換モジュールとを含む。コンテキスト表示モジュールは、画像の内容を示す表示情報を受信する。表示情報は、１つまたはそれ以上の要素を含み、各要素は、表示装置によって表示された複数の画素に対応する。また、コンテキスト表示モジュールは、ユーザー閲覧関心に基づいて、１つまたはそれ以上の要素の関連度を決定する。省電力変換モジュールは、表示情報を関連度に基づいて１つまたはそれ以上の要素の単位で変換し、変換された表示情報を表示装置に提供する。【選択図】図５
2011154689.tif 000002
【特許請求の範囲】
【請求項１】
表示装置によって表示される複数の画素に対応した１つまたはそれ以上の要素を含む表示情報を受信するとともに、前記１つまたはそれ以上の要素のうち少なくとも１つの関連度を決定するコンテキスト表示モジュールと、
前記１つまたはそれ以上の要素のうちの前記少なくとも１つの関連度に基づいて前記表示情報を変換するとともに、前記変換された表示情報を前記表示装置に提供する省電力変換モジュールとを含み、
前記各要素が、前記表示情報の前記変換の単位である表示情報変換システム。
【請求項２】
前記表示装置が、画素自発光表示装置である請求項１記載の表示情報変換システム。
【請求項３】
前記１つまたはそれ以上の要素が、前記表示装置によって直接表示される画像、または前記表示装置によって表示される画像を生成するよう前記表示装置のソフトウェアまたはハードウェアによって処理される画像記述子のセットを含む請求項１記載の表示情報変換システム。
【請求項４】
前記画像記述子のセットが、マークアップ言語コードまたはプログラムコードである少なくとも１つの画像記述子を含む請求項３記載の表示情報変換システム。
【請求項５】
前記コンテキスト表示モジュールが、前記１つまたはそれ以上の要素から少なくとも１つの顕著な要素を選択し、前記顕著な要素が、フロー要素、焦点要素、マークアップ要素、重要要素または関心要素であって、
前記フロー要素が、現時点でアプリケーション・プログラムまたはウェブページのアプリケーションフローに対応または関連している要素であり、
前記焦点要素が、前記表示装置のユーザーによって注視された位置または入力装置によって指示された位置にあり、
前記マークアップ要素が、各要素の種類および属性に基づいて設定され、
前記重要要素が、前記表示情報変換システムによって自動的に設定され、
前記関心要素が、前記表示情報における各要素の閲覧頻度、クリック頻度または表示サイズの比率に基づいて設定される請求項１記載の表示情報変換システム。
【請求項６】
前記１つまたはそれ以上の要素のうちの前記少なくとも１つの関連度が、
前記顕著な要素と各要素の間の表示距離、
閲覧順序の統計結果、
制御動作に対応する前記１つまたはそれ以上の要素、および
前記表示情報のアプリケーションフローの関連状況のうちの少なくとも１つに基づいて決定される請求項５記載の表示情報変換システム。
【請求項７】
前記省電力変換モジュールが、前記顕著な要素を所定の輝度または所定のサイズに設定し、前記少なくとも１つの関連度に基づいて他の要素をソートし、前記ソートされた順序に基づいて前記他の要素の輝度またはサイズが減少するよう設定する請求項５記載の表示情報変換システム。
【請求項８】
各要素を表示するための前記表示装置の電力消費量を計算する電力消費モジュールをさらに含み、前記省電力変換モジュールが、各要素の前記電力消費量に基づいて前記所定の輝度または前記所定のサイズを設定するとともに、各要素の前記電力消費量に基づいて各要素をどのように変換するかを決定する請求項7記載の表示情報変換システム。
【請求項９】
前記電力消費モジュールが、前記表示装置の製造業者によって提供された電力消費量データまたは前記表示装置の実際の電力消費量から得られる電力消費モデルを使用することによって、前記１つまたはそれ以上の要素のそれぞれを表示するための前記表示装置の前記電力消費量を計算する請求項８記載の表示情報変換システム。
【請求項１０】
前記変換された表示情報を表示するための前記表示装置の前記電力消費量が、元の表示情報を表示するための前記表示装置の前記電力消費量よりも低い請求項１記載の表示情報変換システム。
【請求項１１】
コンテキスト表示モデルおよび省電力変換モデルを記憶する記憶装置と、
表示装置によって表示される複数の画素に対応した１つまたはそれ以上の要素を含む表示情報を受信するとともに、前記コンテキスト表示モデルに基づいて前記１つまたはそれ以上の要素のうち少なくとも１つの関連度を決定し、前記表示情報を前記省電力変換モデルおよび前記１つまたはそれ以上の要素のうちの前記少なくとも１つの関連度に基づいて前記１つまたはそれ以上の要素の単位で変換し、前記変換された表示情報を前記表示装置に提供するプロセッサとを含み、
前記各要素が、前記表示情報の前記変換の単位である表示情報変換装置。
【請求項１２】
前記表示装置が、画素自発光表示装置である請求項１１記載の表示情報変換装置。
【請求項１３】
前記１つまたはそれ以上の要素のうちの少なくとも１つが、前記表示装置によって直接表示される画像、または前記表示装置によって表示される画像を生成するよう前記表示装置のソフトウェアまたはハードウェアによって処理される画像記述子のセットを含む請求項１１記載の表示情報変換装置。
【請求項１４】
前記画像記述子のセットが、マークアップ言語コードまたはプログラムコードである少なくとも１つの画像記述子を含む請求項１３記載の表示情報変換装置。
【請求項１５】
前記プロセッサが、前記コンテキスト表示モデルを使用することによって前記１つまたはそれ以上の要素から少なくとも１つの顕著な要素を選択し、前記顕著な要素が、フロー要素、焦点要素、マークアップ要素、重要要素または関心要素であって、
前記フロー要素が、現時点でアプリケーション・プログラムまたはウェブページのアプリケーションフローに対応または関連している要素であり、
前記焦点要素が、前記表示装置のユーザーによって注視された位置または入力装置によって指示された位置にあり、
前記マークアップ要素が、前記１つまたはそれ以上の要素の種類および属性に基づいて設定され、
前記重要要素が、前記表示情報変換システムによって自動的に設定され、
前記関心要素が、前記表示情報における各要素の閲覧頻度、クリック頻度または表示サイズの比率に基づいて設定される請求項１１記載の表示情報変換装置。
【請求項１６】
前記１つまたはそれ以上の要素のうちの前記少なくとも１つの関連度が、
前記顕著な要素と各要素の間の表示距離、
ユーザーの閲覧順序の統計結果、
制御動作に対応する前記１つまたはそれ以上の要素、および前記表示情報のアプリケーションフローの関連状況のうちの少なくとも１つに基づいて決定される請求項１５記載の表示情報変換装置。
【請求項１７】
前記プロセッサが、前記省電力変換モデルに基づいて前記顕著な要素を所定の輝度または所定のサイズに設定し、前記少なくとも１つの関連度に基づいて他の要素をソートし、前記ソートされた順序に基づいて前記他の要素の輝度またはサイズが減少するよう設定する請求項１６記載の表示情報変換装置。
【請求項１８】
前記記憶装置が、電力消費モデルをさらに記憶し、前記プロセッサが、前記電力消費モデルに基づいて前記１つまたはそれ以上の要素のそれぞれを表示するための前記表示装置の電力消費量を計算し、前記省電力変換モデルおよび各要素の前記電力消費量に基づいて前記所定の輝度または前記所定のサイズを設定し、前記省電力変換モデルおよび各要素の前記電力消費量に基づいて各要素をどのように変換するかを決定する請求項１７記載の表示情報変換装置。
【請求項１９】
前記電力消費モデルが、前記表示装置の製造業者によって提供された電力消費量データまたは前記表示装置の実際の電力消費量から得られる請求項１８記載の表示情報変換装置。
【請求項２０】
前記変換された表示情報を表示するための前記表示装置の前記電力消費量が、元の表示情報を表示するための前記表示装置の前記電力消費量よりも低い請求項１１記載の表示情報変換装置。
【請求項２１】
１つまたはそれ以上の要素を含む表示情報を受信することと、前記１つまたはそれ以上の要素から少なくとも１つの顕著な要素を選択することと、前記顕著な要素に基づいて前記１つまたはそれ以上の要素のうち少なくとも１つの関連度を決定することと、前記１つまたはそれ以上の要素のうちの前記少なくとも１つの関連度に基づいて前記表示情報を変換することと、前記変換された表示情報を表示装置に提供することとから構成され、前記各要素が、前記表示装置によって表示された複数の画素に対応するとともに、前記表示情報の前記変換の単位であり、前記顕著な要素が、フロー要素、焦点要素、マークアップ要素、重要要素または関心要素であって、
前記フロー要素が、現時点でアプリケーション・プログラムまたはウェブページのアプリケーションフローに対応または関連している要素であり、
前記焦点要素が、前記表示装置のユーザーによって注視された位置または入力装置によって指示された位置にあり、
前記マークアップ要素が、各要素の種類および属性に基づいて設定され、
前記重要要素が、前記表示情報変換システムによって自動的に設定され、
前記関心要素が、前記表示情報における各要素の閲覧頻度、クリック頻度または表示サイズの比率に基づいて設定される表示情報変換システム。
【請求項２２】
前記１つまたはそれ以上の要素のうちの前記関連度が、
前記顕著な要素と各要素の間の表示距離、
ユーザーの閲覧順序の統計結果、
制御動作に対応する前記１つまたはそれ以上の要素、および前記表示情報のアプリケーションフローの関連状況のうちの少なくとも１つに基づいて決定される請求項２１記載の表示情報変換システム。
【発明の詳細な説明】
【技術分野】
【０００１】
本発明は、省電力とコンテキスト表示（context-showing）の表示情報変換システムおよびその装置に関するものである。
【背景技術】
【０００２】
有機発光ダイオード（organic light-emitting diode, OLED）ディスプレイは自発光型素子であり、高いコントラスト比、広い視野角および薄型ボディ等の機能を提供する。そのため、近年、多くのディスプレイ製造業者は、ＯＬＥＤディスプレイの発展に焦点を置いている。
【０００３】
ＯＬＥＤの光強度は電流値に比例するため、ＯＬＥＤディスプレイの消費電力は、固定電圧で動作している場合、表示画面の内容によって決定される。これは、バックライト（backlight）の強度によって消費電力が決定される薄型トランジスター液晶ディスプレイ（thin film transistor liquid crystal display, TFT-LCD）と異なり、通常、表示される内容に影響されない。例えば、暗い画像を表示している時は電力を消費しないが、明るい画像を表示している時、ＯＬＥＤディスプレイはＴＦＴ-ＬＣＤに比べて数倍以上の電力を消費する。
【発明の概要】
【発明が解決しようとする課題】
【０００４】
現在主流のアプリケーション・プログラムのグラフィカル・ユーザー・インターフェース（graphical user interface, GUI）およびウェブページは、明るい背景と暗い前景の色テーマ、例えば、白い背景の上に黒い文字を提供する。全体の画像が高い輝度を表示するため、ＴＦＴ-ＬＣＤの代わりにＯＬＥＤディスプレイを使用した場合、より多くの電力が消費される。そのため、表示画像を変換してＯＬＥＤディスプレイの電力消費量を減らす技術が必要とされる。
【０００５】
図１〜図３は、従来の表示画像変換技術を図示したものである。図１を参照すると、表示画面１１０は、２つのウィンドウ１２０および１３０を含み、ユーザーの焦点はウィンドウ１３０にある。図２に示した従来の技術によると、ユーザーが焦点を当てているウィンドウはそのまま変えずに、他のウィンドウおよび背景画面を暗くして、電力消費量を減らす。図２に示すように、焦点が置かれているウィンドウ１３０は変化しないが、他のウィンドウ１２０および背景画面１１５は輝度が減少する。
【０００６】
図３は、従来の別の表示画像変換技術を示したものである。図３に示すように、表示画面３１０は、ウィンドウ３２０と、２つのテキストブロック３３０および３４０とを含む。図３に示した従来技術によると、表示画面３１０は、５つのストライプ状の表示領域３５１〜３５５に分割される。ユーザーが見ている最中の表示領域の輝度はそのまま変化しないが、他の表示領域の輝度は、見ている領域からの距離にしたがって減少する。図３に示すように、ユーザーが見ている最中の表示領域３５３の輝度はそのまま変化しないが、隣接する表示領域３５２および３５４はこれより低い輝度で表示され、さらに遠くの表示領域３５１および３５５はさらに低い輝度で表示される。この技術によって、ＯＬＥＤディスプレイの電力消費量を減らすことができるが、表示画面の大部分が見えなくなったり、あるいはほとんど見えない状態になることがあるため、ユーザーにとって不便である。例えば、ウィンドウ３２０の一部およびテキストブロック３４０の一部しか元の輝度が維持されず、他の部分は、真っ暗、あるいは真っ暗に近い状態になる場合がある。
【課題を解決するための手段】
【０００７】
したがって、本発明は、システムおよび装置が与えられた画像を変換する時に、画像を表示する電力消費量とユーザーにとって見やすい画面のコンテキスト（context）の両方を考慮する表示情報変換システムおよび表示情報変換装置を提供する。
【０００８】
本発明は、コンテキスト表示モジュールと、省電力変換モジュールとを含む表示情報変換システムを提供する。コンテキスト表示モジュールは、与えられた画像の内容を表す表示情報を受信する。表示情報は、１つまたはそれ以上の要素（element）を含む。各要素は、表示装置によって表示される複数の画素（pixel）に対応する。コンテキスト表示モジュールは、各要素の少なくとも１つの関連度（relevance）を決定する。関連度を決定するには４つの関連状況があり、それには、２つの要素間の表示距離、ユーザーの閲覧順序の統計結果、いくつかの制御動作に対応する１つまたはそれ以上の要素、表示情報のアプリケーションフロー、または上述した状況の任意の組み合わせが含まれる。省電力変換モジュールは、各要素の少なくとも１つの関連度に基づいて表示情報を変換し、変換後の表示情報を表示装置に提供する。各要素は、表示情報の変換の単位である。変換された表示情報は、与えられた画像を表示するための消費電力を減らすことができる。
【０００９】
本発明は、さらに、記憶装置と、プロセッサ（processor）とを含む表示情報変換装置を提供する。記憶装置は、コンテキスト表示モデルおよび省電力変換モデルを記憶する。プロセッサは、与えられた画像の内容を示す表示情報を受信する。表示情報は、１つまたはそれ以上の要素を含む。各要素は、表示装置によって表示される複数の画素に対応する。プロセッサは、コンテキスト表示モデルに基づいて各要素のうち少なくとも１つの関連度を決定し、省電力変換モデルおよび各要素のうちの少なくとも１つの関連度に基づいて表示情報を変換し、変換された表示情報を表示装置に提供する。各要素は、表示情報の変換の単位である。変換された表示情報は、画像を表示するための消費電力を減らすことができる。
【００１０】
本発明は、さらに、１つまたはそれ以上の要素を含む表示情報を受信することと、１つまたはそれ以上の要素から少なくとも１つの顕著な要素を選択することと、顕著な要素に基づいて各要素のうち少なくとも１つの関連度を決定することと、各要素のうちの少なくとも１つの関連度に基づいて表示情報を変換することと、変換後の表示情報を表示装置に提供することとから構成された表示情報変換システムを提供する。各要素は、表示装置によって表示される複数の画素に対応し、表示情報の変換の単位である。顕著な要素は、フロー要素（flow element）、焦点要素（focus element）、マークアップ要素（markup element）、重要要素（significant element）、または関心要素（interest element）である。フロー要素は、現時点でアプリケーション・プログラムまたはウェブページのアプリケーションフローに対応または関連している要素である。焦点要素は、表示装置のユーザーによって注視された位置、または入力装置によって指示された位置にある。マークアップ要素は、システム管理者、設計者またはユーザーによって定義された各要素の種類および属性に基づいて設定される。重要要素は、表示情報変換システムによって自動的に設定される。関心要素は、表示情報における各要素の閲覧頻度、クリック頻度、または表示サイズの比率に基づいて設定される。
【発明の効果】
【００１１】
以上のように、本発明の表示情報変換システムおよび表示情報変換装置は、各画素ではなく各要素を表示情報の変換の基本単位とする。そのため、ユーザー閲覧関心の少ない関連度が低い要素のみを暗くする、あるいは小さくすることができる。それによって、電力消費量を減らすだけでなく、画面のコンテキストも考慮することができる。
【００１２】
本発明の上記及び他の目的、特徴、および利点をより分かり易くするため、図面と併せた幾つかの実施形態を以下に説明する。
【図面の簡単な説明】
【００１３】
【図１】従来の省電力変換方法の概略図である。
【図２】従来の省電力変換方法の概略図である。
【図３】従来の省電力変換方法の概略図である。
【図４】本発明の実施形態に係る表示情報変換システムの概略図である。
【図５】図４の実施形態に係る表示情報変換方法のフローチャートである。
【図６】図４の実施形態に係る表示情報変換方法のフローチャートである。
【図７】図４の実施形態に係る各要素の関連度を示す概略図である。
【図８】図４の実施形態に係る各要素の関連度を示す概略図である。
【図９】図４の実施形態に係る各要素の関連度を示す概略図である。
【図１０】図４の実施形態に係る各要素の関連度を示す概略図である。
【図１１】図４の実施形態に係る電力消費モデルの概略図である。
【図１２】別の実施形態に係る表示情報変換装置の概略図である。
【発明を実施するための形態】
【００１４】
以下、本発明の実施形態の全てではないが、いくつかの実施形態が示される添付の図面を参照して、本発明をさらに充分に説明する。実際、本発明は、多くの異なる形態で実施されてもよく、ここに述べる実施形態に制限されると解釈されるべきではない。むしろ、これらの実施形態は、この開示内容が適用される法的要件を満足するように提供されるものである。全体を通して、同様の参照番号は、同様の要素を指すものとする。
【００１５】
図４は、本発明の第１実施形態に係る表示情報変換システム４１０の概略図であり、図５は、表示情報変換システム４１０によって実行された表示情報変換方法のフローチャートである。表示情報変換システム４１０は、ハードウェアまたはソフトウェア、例えば、プロキシサーバ（proxy server）またはウェブブラウザ（web browser）である。
【００１６】
表示情報変換システム４１０は、コンテキスト表示モジュール４１１と、電力消費モジュール４１２と、省電力変換モジュール４１３とを含む。コンテキスト表示モジュール４１１、電力消費モジュール４１２および省電力変換モジュール４１３は、それぞれハードウェアまたはソフトウェアである。まず、コンテキスト表示モジュール４１１が表示情報を受信する（ステップ５１０）。表示情報は、表示装置４２０によって表示される画像の内容、例えば、ウェブページまたはアプリケーション・プログラムのグラフィカル・ユーザー・インターフェース（ＧＵＩ）を示す。表示情報は、１つまたはそれ以上の要素を含み、各要素は、表示装置４２０によって表示される複数の画素に対応する。各要素は、画像（image）または画像記述子（image descriptor）のセットを含む。画像は、表示装置４２０によって直接表示される。各画像記述子のセットは、１つまたはそれ以上の画像記述子を含み、各画像記述子は、マークアップ言語（markup language）コードまたはプログラムコードの１つであってもよい。例えば、各画像記述子は、ハイパーテキストマークアップ言語（Hyper Text Markup Language, HTML）の１つ、拡張可能マークアップ言語（Extensible Markup Language, XML）の１つ、または画像を生成するためのコンピュータプログラムコードの１つであってもよい。画像記述子のセットは、表示装置４２０によって表示される画像を生成するよう表示装置４２０のハードウェアまたはソフトウェアによって処理される。表示装置４２０は、有機発光ダイオード（ＯＬＥＤ）ディスプレイのような、バックライトを必要としない画素自発光表示装置である。
【００１７】
表示情報を受信した後、コンテキスト表示モジュール４１１が表示情報における各要素のうち少なくとも１つの関連度を決定する（ステップ５２０）。電力消費モジュール４１２が表示装置４２０の電力消費量を計算して、それぞれの要素を表示する（ステップ５３０）。省電力変換モジュール４１３が各要素の関連度および電力消費量に基づいて表示情報を変換し（ステップ５４０）、変換後の表示情報を表示装置４２０に提供する（ステップ５５０）。各要素は、表示情報の変換の単位である。変換された表示情報は、画像を表示するための電力消費量を効果的に減らすことができる。つまり、変換された表示情報を表示するための表示装置４２０の電力消費量は、元の表示情報を表示する電力消費量よりも少ない。
【００１８】
図６は、図５のステップ５２０の詳細なフローチャートである。まず、コンテキスト表示モジュール４１１が１つまたはそれ以上の要素から少なくとも１つの顕著な要素を選択する（ステップ６１０）。顕著な要素は、フロー要素、焦点要素、マークアップ要素、重要要素または関心要素である。フロー要素は、現時点でアプリケーション・プログラムまたはウェブページのアプリケーションフローに対応または関連している要素である。アプリケーションフローは、ユーザーがアプリケーション・プログラムを使用する、またはウェブページを閲覧すると予想される順序を指し、アプリケーション・プログラムまたはウェブページの設計者によって特定される。例えば、アプリケーション・プログラムが映画プレーヤーの場合は、映画を見ている間にユーザーがプログレスバー（progress bar）をクリックして、映画を早送りまたは巻き戻しをすると考えられるため、映画を再生するためのプログレスバーまたは全体領域をフロー要素として設定する。ユーザーが特定のウェブニュースのヘッドラインを閲覧している場合は、ユーザーがヘッドラインに関するハイパーリンク（hyperlink）をクリックすると考えられるため、ハイパーリンクをフロー要素として設定する。アプリケーション・プログラムは、フロー要素を特定の種類、属性、またはその両方に設定することができ、それに対応して、コンテキスト表示モジュール４１１は、要素の種類と属性に基づいてフロー要素を識別することができる。
【００１９】
焦点要素は、表示装置４２０のユーザーによって注視された位置、またはマウス、キーボード、タッチスクリーン等の入力装置によって指示された位置にある要素を指す。マークアップ要素は、表示装置４２０のユーザー、表示情報変換システム４１０のシステム管理者、あるいはアプリケーション・プログラムまたはウェブページの設計者が重要とみなした要素である。例えば、マークアップ要素は、ウェブサイトのロゴである。マークアップ要素は、要素の種類や属性に基づいて予め定めることができる。重要要素は、要素に関連する属性に基づいて、またはユーザーの閲覧習慣の統計結果に基づいて、あるいは任意の慣習や先行技術に基づいて、表示情報変換システム４１０が自動的に重要とみなした要素である。例えば、重要要素は、ウェブページの記事のタイトル、またはボタン等のインターフェース制御要素である。関心要素は、表示情報における各要素の閲覧頻度、クリック頻度または表示サイズの比率に基づいて設定される。例えば、関心要素は、ウェブページにおいてユーザーのクリック頻度が最も多い単語、または特定のしきい値（threshold）よりも大きい表示サイズ比率を有する単語である。
【００２０】
次に、コンテキスト表示モジュール４１１は、ユーザー閲覧関心に対して１つまたはそれ以上の要素のうち少なくとも１つの関連度を決定する。本実施形態において示すように、１つまたはそれ以上の要素の関連度を決定する関連状況は４つあり、以下に詳しく説明する。４つの関連状況は、単独で、または組み合わせて使用される。
【００２１】
第１の関連状況は、各要素と顕著な要素の間の表示距離に基づいて、１つまたはそれ以上の要素の関連度を決定することである（ステップ６２０）。表示距離は、センチメートル等の物理的距離メトリック、または要素数のような相対距離メトリック、または先行文献にある任意のメトリックであってもよい。図７は、ユーザーが閲覧したウェブページ７１０を図示したものである。要素７２０、７３０、７４０、７６０および７７０は、いずれも顕著な要素である。ウェブサイトのロゴ７２０は、マークアップ要素として分類される。タイトル７３０および７７０は、重要要素として分類される。マウスのカーソル７５０によって指示された要素７４０は、焦点要素として分類される。要素７６０は、クリック頻度の多い単語であるため、関心要素として分類される。コンテキスト表示モジュール４１１は、顕著な要素を関連度のレベルが最も高い要素に設定し、顕著な要素の外側にある１つまたはそれ以上の要素（例えば、要素７８０）を関連度のレベルが次に高い要素に設定し、さらに外側にある１つまたはそれ以上の要素（例えば、要素７９０）を関連度のレベルが低い要素に設定する。画面背景７１５は、関連度のレベルが最も低い要素に設定される。
【００２２】
第２の関連状況は、ユーザーの閲覧順序の統計結果に基づいて関連度を決定することである（ステップ６３０）。図８に示した例では、ユーザーがまず表示領域８１０の内容を見て、それから表示領域８２０の内容を見て、最後に表示領域８３０の内容を見たという統計結果が示されている。この場合、コンテキスト表示モジュール４１１は、表示領域８１０、８２０および８３０の関連度をそれぞれ最高、中間および最低のレベルに設定する。
【００２３】
第３の関連状況は、いくつかの制御動作に対応する表示情報の１つまたはそれ以上の要素に基づいて関連度を決定することである（ステップ６４０）。図９は、特定のプレゼンテーションソフト（presentation software）のユーザーインターフェースを図示したものである。現在、「再生」と「次の頁」の制御動作が可能であると仮定すると、コンテキスト表示モジュール４１１は、これらの２つの制御動作に対応する仮想ボタン９３０および９５０の関連度を最高レベルに設定し、スライド表示領域９２０および他の２つの仮想ボタン９４０および９６０の関連度を中間レベルに設定し、画面背景９１５の関連度を最低レベルに設定する。アプリケーション・プログラムが要素の属性に基づいて制御動作に対応する要素を設定することによって、コンテキスト表示モジュール４１１は、要素を識別することができる。
【００２４】
第４の関連状況は、表示情報のアプリケーションフローに基づいて関連度を決定することである（ステップ６４５）。上述したように、アプリケーションフローは、ユーザーがアプリケーション・プログラムを使用する、またはウェブページを閲覧すると予想される順序を指し、アプリケーション・プログラムまたはウェブページの設計者によって特定される（図１０に示す）。矢印１０１０がウェブページの設計者によって予想された閲覧順序を示す場合、ウェブページの４つの領域１０２０、１０３０、１０４０および１０５０は、閲覧順序を基礎として関連度が順番に減少するように設定される。
【００２５】
上述した関連度を決定するための４つの関連状況は、別々に、または重み付け組み合わせで使用することができる。その後、コンテキスト表示モジュール４１１が省電力変換モジュール４１３に関連度を提供する（ステップ６５０）。
【００２６】
省電力変換モジュール４１３は、顕著な要素を所定の輝度または所定のサイズに設定し、関連度に基づいて他の要素をソートして、ソートされた関連度の順序の基づいて他の要素の輝度またはサイズが減少するように設定する。つまり、輝度またはサイズの減少順序は、全ての要素と最初の顕著な要素で形成される。要素の関連度が低ければ低いほど、輝度が低くなるように、または表示サイズが小さくなるように設定される。
【００２７】
電力消費モジュール４１２は、電力消費量を計算して、表示情報における各要素を表示する。また、省電力変換モジュール４１３は、要素の関連度および電力消費量に基づいて各要素をどのように変換するか、つまり、要素の輝度やサイズをどのように設定するかを決定する。表示情報の全体の電力消費量は、各要素の電力消費量を足すことによって得られる。表示情報の全体の電力消費量が低い場合、省電力変換モジュール４１３は、顕著な要素の所定の輝度を表示装置４２０の最大輝度に設定し、これらの要素の関連度に基づいて他の要素の輝度が減少するように設定する。ユーザーが全ての要素を容易に見ることができるように、各要素の輝度を特定の所定のしきい値よりも低くならないように制限することができる。つまり、変換している間に画面から消える要素は存在しない。逆に、表示情報の全体の電力消費量が高い場合、省電力変換モジュール４１３は、顕著な要素の所定の輝度を低い輝度に設定して、所定のしきい値よりも関連度の低い要素を完全に真っ暗に、つまり、表示しないように設定する。上述した輝度変換方法は、省電力変換モジュール４１３が各要素のサイズを変えることによって表示情報を変換する場合にも適用することができる。この技術を通して、表示情報を変換した後の全体の電力消費量を効果的に制御することができ、それによって、消費される電力を減らすことができる。
【００２８】
電力消費モジュール４１２は、表示装置４２０の電力消費モデルを使用することによって、各要素を表示する電力消費量を計算する。特定のブランドおよびモデルの表示装置は、それぞれ独自の電力消費モデルを有する。電力消費モデルによって提供された情報は、輝度や各種色の様々なレベルを表示する表示装置における単一画素の電力消費量を含む。電力消費モデルは、表示装置の製造業者によって提供された電力消費量データ、または表示装置の実際の電力消費量から得られる。
【００２９】
図１１は、表示装置４２０の製造業者によって提供された電流消費曲線を示したものである。表示装置４２０は、８００×４８０画素の解析度を有し、各画素は、赤、緑、青のサブ画素（sub-pixel）で構成される。図１１は、単一色が表示された時の表示装置４２０の電流消費を示したものである。そのうち、曲線１１１０、１１２０および１１３０は、それぞれ赤サブ画素、緑サブ画素および青サブ画素に対応する電流消費量を示す。曲線１１１０、１１２０および１１３０に対応する電流をそれぞれ８００×４８０で割ることによって、単一画素が任意の色および任意の輝度を表示した時の消費電流量を得ることができる。ＯＬＥＤディスプレイは固定された画素駆動電圧を有するため、画素の電力消費量は電流に正比例する。つまり、各画素の電力消費量は、そのサブ画素値によって決定される。画面における各画素の電力消費量は、図１１の電力消費モデルから得ることができ、各画素の電力消費量は、要素の全ての画素の電力消費量を足すことによって得ることができる。
【００３０】
図１２は、本発明の第２実施形態に係る表示情報変換装置１２１０の概略図である。表示情報変換装置１２１０は、プロセッサ１２１２と、記憶装置１２１４とを含む。表示情報変換装置１２１０、プロセッサ１２１２および記憶装置１２１４は、いずれもハードウェアである。記憶装置１２１４は、コンテキスト表示モデル１２１５、電力消費モデル１２１６および省電力変換モデル１２１７を記憶する。コンテキスト表示モデル１２１５、電力消費モデル１２１６および省電力変換モデル１２１７は、複数のアルゴリズムおよびモデルを含み、それぞれ図４のコンテキスト表示モジュール４１１、電力消費モジュール４１２および省電力変換モジュール４１３に相当する。プロセッサ１２１２は、これらの３つのモデルを使用することによって、図５〜図９に示した表示情報変換方法を実行し、表示装置１２２０は、変換された表示情報を表示する。本実施形態の他の詳細および態様は、本発明の第１実施形態で説明したため、ここでは説明を省略する。
【００３１】
上述したように、本発明において、表示画像または与えられた画像の変換の原子単位は、画素ではなく表示情報の要素である。そのため、画素自発光表示装置の電力消費量を減らすだけでなく、ユーザーが閲覧しやすい画像のコンテキストも考慮されるため、表示情報の一定のしきい値よりも関連度が高い要素を全て表示することができる。
【００３２】
以上のように、本発明の表示情報変換システムおよび表示情報変換装置は、各画素ではなく各要素を表示情報の変換の基本単位とする。そのため、ユーザー閲覧関心の少ない関連度が低い要素のみを暗くする、あるいは小さくすることができる。それによって、電力消費量を減らすだけでなく、画面のコンテキストも考慮することができる。
【００３３】
さらに、本出願の範囲は、本明細書で述べたプロセス、装置、製造、組成物、手段、方法およびステップの特定の実施形態に限定されない。本発明の開示から当業者が容易に理解するように、本発明に従って、本明細書に示した対応する実施形態と実質的に同じ機能を実行し、あるいは実質的に同じ結果を達成する現在存在する、あるいは後に開発されるプロセス、装置、製造、組成物、手段、方法またはステップを利用することができる。したがって、添付の特許請求の範囲は、そのようなプロセス、装置、製造、組成物、手段、方法またはステップを範囲内に含むように意図される。
【符号の説明】
【００３４】
１１０、３１０、９１０    表示画面
１１５、７１５、９１５    画面背景
１２０、１３０、３２０    ウィンドウ
３３０、３４０    テキストブロック
３５１〜３５５、８１０、８２０、８３０、９２０    表示領域
４１０    表示情報変換システム
４１１    コンテキスト表示モジュール
４１２    電力消費モジュール
４１３    省電力変換モジュール
４２０、１２２０    表示装置
５１０〜５５０、６１０〜６５０    ステップ
７１０    ウェブページ
７２０〜７４０、７６０〜７９０    表示情報要素
７５０    マウスカーソル
９３０〜９６０    仮想ボタン
１０１０    矢印
１０２０、１０３０、１０４０、１０５０    ウェブページの領域
１１１０、１１２０、１１３０    電流消費曲線
１２１０    表示情報変換装置
１２１２    プロセッサ
１２１４    記憶装置
１２１５    コンテキスト表示モデル
１２１６    電力消費モデル
１２１７    省電力変換モデル
【図１】
2011154689.tif 000003
【図２】
2011154689.tif 000004
【図３】
2011154689.tif 000005
【図４】
2011154689.tif 000006
【図５】
2011154689.tif 000007
【図６】
2011154689.tif 000008
【図７】
2011154689.tif 000009
【図８】
2011154689.tif 000010
【図９】
2011154689.tif 000011
【図１０】
2011154689.tif 000012
【図１１】
2011154689.tif 000013
【図１２】
2011154689.tif 000014
【外国語明細書】
2011154689000001.pdf